(57)【要約】【課題】  好適な位置にウオーターマークが付された画像を提供することのできる仕組みを提供する。【解決手段】  情報処理端末と通信可能に接続し、主被写体を識別可能な画像の情報である画像情報を管理する画像管理装置であって、前記情報処理端末に表示できる画像情報であって、画像の主被写体に基づいて設定される領域である移動可能領域と所定の条件より被る位置に、ウオーターマークを付した画像情報である第１の見本画像を提供する提供手段と、第１の見本画像に対応する第２の見本画像であって、ユーザから任意に指定を受付けた移動可能領域と所定の条件より被る位置に、ウオーターマークを付した第２の見本画像を、提供する指示を受付ける受付手段とを備え、前記提供手段は、前記受付手段で受付けた指示に基づいて、第２の見本画像を提供することを特徴とする画像管理装置。【選択図】  図５
2019110461.tif 000002
【特許請求の範囲】
【請求項１】
情報処理端末と通信可能に接続し、主被写体を識別可能な画像の情報である画像情報を管理する画像管理装置であって、
前記情報処理端末に表示できる画像情報であって、画像の主被写体に基づいて設定される領域である移動可能領域と所定の条件より被る位置に、ウオーターマークを付した画像情報である第１の見本画像を提供する提供手段と、
前記情報処理端末から、前記提供手段で提供された第１の見本画像に対応する第２の見本画像であって、ユーザから任意に指定を受付けた当該第２の見本画像の移動可能領域と所定の条件より被る位置に、当該第１の見本画像の移動可能領域と所定の条件より被る位置に付されたウオーターマークに対応するウオーターマークを付した第２の見本画像を、提供する指示を受付ける受付手段とを備え、
前記提供手段は、前記受付手段で受付けた指示に基づいて、第２の見本画像を提供することを特徴とする画像管理装置。
【請求項２】
前記提供手段は、前記移動可能領域と所定の条件より被らない位置にも、ウオーターマークを付した第１の見本画像および第２の見本画像を提供し、
前記提供手段で提供される第１の見本画像の移動可能領域と所定の条件より被らない位置に付されているウオーターマークと第２の見本画像の移動可能領域と所定の条件より被らない位置に付されているウオーターマークとは、対応する位置に付されていることを特徴とする請求項１に記載の画像管理装置。
【請求項３】
前記提供手段は、前記情報処理端末に表示できる画像情報であって、画像の主被写体に基づいて設定される領域である移動可能領域と所定の条件より被る位置に、複数のウオーターマークを付した画像情報である第１の見本画像および第２見本画像を提供し、
前記受付手段は、前記情報処理端末から、前記提供手段で提供された第１の見本画像に対応する第２の見本画像であって、ユーザから任意に指定を受付けた当該第２の見本画像の移動可能領域と所定の条件より被る位置に、当該第１の見本画像の移動可能領域と所定の条件より被る位置に付されたウオーターマークのうちのひとつに対応するウオーターマークを付した第２の見本画像を、提供する指示を受付け、
前記提供手段は、前記移動可能領域に付されたウオーターマークの数よりも、少ない回数だけ前記受付手段で受付けた指示に基づいて、第２の見本画像を提供することを特徴とする請求項１または２に記載の画像管理装置。
【請求項４】
前記提供手段は、人物または物体を含む領域、主被写体として予め定められている領域、焦点の合っている領域のうち、少なくともいずれか１つを含む領域を主被写体として設定される移動可能領域と所定の条件より被る位置に、ウオーターマークを付した画像情報である第１の見本画像または第２の見本画像を提供することを特徴とする、請求項１乃至３のうちいずれか１項に記載の画像管理装置。
【請求項５】
情報処理端末と通信可能に接続し、主被写体を識別可能な画像の情報である画像情報を管理する画像管理装置における制御方法であって、
前記画像管理装置の提供手段が、前記情報処理端末に表示できる画像情報であって、画像の主被写体に基づいて設定される領域である移動可能領域と所定の条件より被る位置に、ウオーターマークを付した画像情報である第１の見本画像を提供する提供工程と、
前記画像管理装置の受付手段が、前記情報処理端末から、前記提供工程で提供された第１の見本画像に対応する第２の見本画像であって、ユーザから任意に指定を受付けた当該第２の見本画像の移動可能領域と所定の条件より被る位置に、当該第１の見本画像の移動可能領域と所定の条件より被る位置に付されたウオーターマークに対応するウオーターマークを付した第２の見本画像を、提供する指示を受付ける受付工程とを備え、
前記提供工程は、前記受付工程で受付けた指示に基づいて、第２の見本画像を提供することを特徴とする制御方法。
【請求項６】
情報処理端末と通信可能に接続し、主被写体を識別可能な画像の情報である画像情報を管理する画像管理装置で読み取り実行が可能なプログラムあって、
前記画像管理装置を、
前記情報処理端末に表示できる画像情報であって、画像の主被写体に基づいて設定される領域である移動可能領域と所定の条件より被る位置に、ウオーターマークを付した画像情報である第１の見本画像を提供する提供手段と、
前記情報処理端末から、前記提供手段で提供された第１の見本画像に対応する第２の見本画像であって、ユーザから任意に指定を受付けた当該第２の見本画像の移動可能領域と所定の条件より被る位置に、当該第１の見本画像の移動可能領域と所定の条件より被る位置に付されたウオーターマークに対応するウオーターマークを付した第２の見本画像を、提供する指示を受付ける受付手段として機能させ、
前記提供手段は、前記受付手段で受付けた指示に基づいて、第２の見本画像を提供することを特徴とするプログラム。
【請求項７】
情報処理端末と通信可能に接続し、主被写体を識別可能な画像の情報である画像情報を管理する画像管理のシステムであって、
前記情報処理端末に表示できる画像情報であって、画像の主被写体に基づいて設定される領域である移動可能領域と所定の条件より被る位置に、ウオーターマークを付した画像情報である第１の見本画像を提供する提供手段と、
前記情報処理端末から、前記提供手段で提供された第１の見本画像に対応する第２の見本画像であって、ユーザから任意に指定を受付けた当該第２の見本画像の移動可能領域と所定の条件より被る位置に、当該第１の見本画像の移動可能領域と所定の条件より被る位置に付されたウオーターマークに対応するウオーターマークを付した第２の見本画像を、提供する指示を受付ける受付手段とを備え、
前記提供手段は、前記受付手段で受付けた指示に基づいて、第２の見本画像を提供することを特徴とする画像管理のシステム。
【請求項８】
情報処理端末と通信可能に接続し、主被写体を識別可能な画像の情報である画像情報を管理する画像管理のシステムにおける制御方法であって、
前記画像管理のシステムの提供手段が、前記情報処理端末に表示できる画像情報であって、画像の主被写体に基づいて設定される領域である移動可能領域と所定の条件より被る位置に、ウオーターマークを付した画像情報である第１の見本画像を提供する提供工程と、
前記画像管理のシステムの受付手段が、前記情報処理端末から、前記提供工程で提供された第１の見本画像に対応する第２の見本画像であって、ユーザから任意に指定を受付けた当該第２の見本画像の移動可能領域と所定の条件より被る位置に、当該第１の見本画像の移動可能領域と所定の条件より被る位置に付されたウオーターマークに対応するウオーターマークを付した第２の見本画像を、提供する指示を受付ける受付工程とを備え、
前記提供工程は、前記受付工程で受付けた指示に基づいて、第２の見本画像を提供することを特徴とする制御方法。
【請求項９】
情報処理端末と通信可能に接続し、主被写体を識別可能な画像の情報である画像情報を管理する画像管理のシステムで読み取り実行が可能なプログラムあって、
前記画像管理のシステムを、
前記情報処理端末に表示できる画像情報であって、画像の主被写体に基づいて設定される領域である移動可能領域と所定の条件より被る位置に、ウオーターマークを付した画像情報である第１の見本画像を提供する提供手段と、
前記情報処理端末から、前記提供手段で提供された第１の見本画像に対応する第２の見本画像であって、ユーザから任意に指定を受付けた当該第２の見本画像の移動可能領域と所定の条件より被る位置に、当該第１の見本画像の移動可能領域と所定の条件より被る位置に付されたウオーターマークに対応するウオーターマークを付した第２の見本画像を、提供する指示を受付ける受付手段として機能させ、
前記提供手段は、前記受付手段で受付けた指示に基づいて、第２の見本画像を提供することを特徴とするプログラム。
【発明の詳細な説明】
【技術分野】
【０００１】
本発明は、画像管理装置、画像管理のシステム、およびそれらの制御方法、プログラムに関する。
【背景技術】
【０００２】
近年、デジタル技術の普及によって、インターネットを介した写真の販売やレンタルサービスが人気を博している。そして、このようなサービスを提供するウエブサイトでは、サムネイル画像や、ウオーターマーク（すかし、電子透かし）を入れた見本画像を顧客に提示し、顧客が気に入った画像の写真のオーダーを受付けることができる。
【０００３】
ウオーターマークは、表示画面のキャプチャリング等で、無課金で買い手が見本画像のデータを入手することを、防ぐことを目的としているため、主被写体に適切に付されている必要がある。そうでなければ、キャプチャリングされた見本画像から、ウオーターマークが入っていない主被写体の部分を、顧客にトリミングされてしまう可能性があるからである。
【０００４】
しかしながら、サイトの管理者が画像の主被写体に一枚一枚ウオーターマークを付してゆく作業は大変手間がかかるため、このような作業を軽減する仕組みが考案されるようになった。
【先行技術文献】
【特許文献】
【０００５】
【特許文献１】特開２０００−２９５４５４号公報
【特許文献２】特開２０１２−１３８６６５号公報
【特許文献３】特開２０００−２１４５２２号公報
【特許文献４】特開２０１０−０２８２６５号公報
【発明の概要】
【発明が解決しようとする課題】
【０００６】
特許文献１には、一駒の静止画の中に電子透かしを埋め込むのに最適な位置を求め，その位置に電子透かしを埋め込む方法が示されている。また、特許文献２や特許文献３には、画像を解析して、主被写体を特定するための方法が示されている。さらに特許文献４には、映像内の人物の顔にマスキングを施す方法が示されている。
【０００７】
これらの技術を用いれば、サイトの管理者は、画像内の主被写体に、適切にウオーターマークを付した見本画像を容易に手に入れることができるようになる。
【０００８】
しかし、図４のように、顔のような主被写体の重要個所にウオーターマークが付されてしまうと、顧客は顔のような重要個所の詳細を確認することができなくなってしまう。そしてこのような背景から、ユーザが確認したい場所は避けつつ、主被写体に適切にウオーターマークを付した画像を提供する仕組みが求められている。
【０００９】
本発明は、好適な位置にウオーターマークが付された画像を提供することのできる仕組みを提供する。
【課題を解決するための手段】
【００１０】
本発明は、情報処理端末と通信可能に接続し、主被写体を識別可能な画像の情報である画像情報を管理する画像管理装置であって、前記情報処理端末に表示できる画像情報であって、画像の主被写体に基づいて設定される領域である移動可能領域と所定の条件より被る位置に、ウオーターマークを付した画像情報である第１の見本画像を提供する提供手段と、前記情報処理端末から、前記提供手段で提供された第１の見本画像に対応する第２の見本画像であって、ユーザから任意に指定を受付けた当該第２の見本画像の移動可能領域と所定の条件より被る位置に、当該第１の見本画像の移動可能領域と所定の条件より被る位置に付されたウオーターマークに対応するウオーターマークを付した第２の見本画像を、提供する指示を受付ける受付手段とを備え、前記提供手段は、前記受付手段で受付けた指示に基づいて、第２の見本画像を提供することを特徴とする。
【発明の効果】
【００１１】
このように設けることで、好適な位置にウオーターマークが付された画像を提供することのできる仕組みを提供することができる。
【図面の簡単な説明】
【００１２】
【図１】本発明のシステム構成の一例を示した構成図である。
【図２】本発明のハードウエアの構成の一例を示した構成図である。
【図３】情報処理端末１２０の表示部２１０に表示される表示画面の一例を示した構成図である。
【図４】情報処理端末１２０の表示部２１０に表示される表示画面の一例を示した構成図である。
【図５】写真詳細設定画面４００における見本画像４２０の画面遷移の一例を示した構成図である。
【図６】移動可能領域５１０の内外におけるウオーターマーク４３０の移動について補足説明をするための構成図である
【図７】写真詳細設定画面４００における見本画像４２０の画面遷移の一例を示した構成図である。
【図８】ウオーターマーク４３０の移動（マークを付する位置の指定）に関する補足のための図である。
【図９】本発明のメインフローの一例を示した構成図である。
【図１０】本発明のサブフローの一例を示した構成図である。
【図１１】本発明のデータテーブルの一例を示した構成図である。
【発明を実施するための形態】
【００１３】
以下、図面を参照して、本発明の実施形態を詳細に説明する。
【００１４】
図１は、本発明のシステム構成の一例を示した構成図である。
【００１５】
画像管理装置１１０は、情報処理端末１２０と通信可能に接続し、主被写体を識別可能な画像情報（画像、画像の情報）、画像情報に関連するデータ、写真などの画像関連の販売・レンタルを行うためのウエブサイト（購入サイト）を、管理する装置である。
【００１６】
画像情報（画像、画像の情報）は、情報処理端末１２０の表示部２１０で表示可能な情報全般を含むもので、本発明では、画像管理装置１１０で管理される画像情報の一例として、ＪＰＥＧ（ジェイペグ）を取り上げている。しかし、画像情報には、例えば、ＧＩＦ、ＴＩＦＦ、ＲＡＷや、各種動画のファイル形式など、様々な形式のものに置き換えて適用可能であり、特段形式は問わない。
【００１７】
また、取り扱い可能なウエブサイトの表示画面のファイル形式の一例としてｈｔｍｌファイルを用いた実行方法を取り上げているが、特段これには限定されない。例えば、ＪＡＶＡスクリプト（登録商標）等の様々な既存の方法を駆使して実現可能であるし、携帯端末の各種アプリを用いる方法であっても、構わない。
【００１８】
情報処理端末１２０は、主に買い手側が用いる装置である。情報処理端末１２０が、具体的にどのような装置であるかは特段限定されないが、例えば、パーソナルコンピュータ、スマートフォン、タブレット等が好適に用いられる。
【００１９】
情報処理端末１２０は、通信ネットワーク１３０を介して、画像管理装置１１０と接続し、
購入サイトの表示に必要な情報を適宜、画像管理装置１１０から受付けることができる。
【００２０】
具体的には、例えば、オーダーが可能な画像の見本を複数表示し、ユーザが購入を希望する画像の選択を受付けることができる。また、購入を希望した画像の被写体に、ウオーターマークを付した画像（見本画像）を表示し、オーダーする画像（写真）の用紙の種類やサイズ、額の種類の受付ができる。また、見本画像に付されたウオーターマークを、任意の位置に移動させた新たな見本画像を表示させるための要求をユーザから受付けることも可能である。
【００２１】
通信ネットワーク１３０は、画像管理装置１１０と情報処理端末１２０とを通信可能に接続するネットワークである。通信方法には既存の様々な技術を用いることができる。有線であっても無線であってもよく、ＷＡＮ（Ｗｉｄｅ  Ａｒｅａ  Ｎｅｔｗｏｒｋ）であってもＬＡＮ（Ｌｏｃａｌ  Ａｒｅａ  Ｎｅｔｗｏｒｋ）であってもよい。
【００２２】
図２は、本発明のハードウエアの構成の一例を示した構成図である。本発明におけるハードウエアは、画像管理装置１１０と情報処理端末１２０とである。
【００２３】
２０１はＣＰＵで、ＲＯＭ２０２のプログラム用ＲＯＭや外部メモリ２１１に記憶されたプログラムをＲＡＭ２０３にロードして実行することによりシステムバス２０４に接続された各デバイスを制御する。また、このＲＯＭ２０２のフォント用ＲＯＭにはフォントデータ等を記憶し、ＲＯＭ２０２のデータ用ＲＯＭには各種データを記憶する。２０３はＲＡＭで、ＣＰＵ２０１の主メモリ、ワークエリア等として機能する。２０２はキーボードコントローラ（入力コントローラ）で、２０９や図示しないポインティングデバイス、例えばタッチパッドからの入力を制御する。
【００２４】
入力コントローラ２０５は入力デバイス２０９を制御する。なお入力デバイス２０９には、タッチパネルも含まれ、その場合は、入力デバイス２０９が表示部２１０（画像を表示する表示画面を映すための表示装置）を兼ねているケースもある。２０６はビデオカード（ＶＣ）で、表示部２１０の表示を制御する。
【００２５】
２０７はメモリコントローラで、外部メモリ２１１（ハードディスク等）とのアクセスを制御する。２０８はネットワークインターフェースカード（ＮＩＣ）で、通信ネットワーク１３０上の通信を制御する。
【００２６】
図３は、情報処理端末１２０の表示部２１０に表示される表示画面の一例を示した構成図である。図３は、図９のステップＳ９０５の処理で表示される画面の一例を示している。
【００２７】
写真選択画面３００は、ユーザが購入可能な画像（写真）のサムネイル画像３１０を複数表示し、ユーザが購入を希望する画像の選択を受付けるための画面である。
【００２８】
写真選択画面３００は、ステップＳ９０５で受信した図１１（ｂ）のデータ（ｈｔｍｌファイルと６つのサムネイル画像と）に基づいて構成されている。
【００２９】
サムネイル画像３１０は、ユーザが購入可能な画像（写真）のサムネイル画像３１０である。サムネイル画像３１０は、サイズや解像度が十分小さければ、ウオーターマーク４３０を付さずとも良いが、ウオーターマーク４３０を付したものであっても構わない。
【００３０】
ユーザの手３２０は、ユーザの手である。本実施例では、表示部２１０がタッチ入力を受付け可能な入力デバイス２０９を兼ねるタッチパネルを想定している。ブラウザ画面に写真選択画面３００を表示し、ユーザの手３２０をマウスとマウスポインタに置き換えても、同様の仕組みを提供することができる。図３では、右上のラグビーの写真のサムネイル画像３１０が、ユーザが購入を希望する写真として、ユーザの手３２０で、選択されている様子を示している。このようなプロセスで、ステップＳ９０６の「サムネイル画像の選択」を受付けると、ステップＳ９０８の「写真詳細設定画面４００」の要求が送信され、図４の画像に遷移することになる。
【００３１】
図４は、情報処理端末１２０の表示部２１０に表示される表示画面の一例を示した構成図である。図４は、図９のステップＳ９１２の処理で表示される画面の一例を示している。
【００３２】
写真詳細設定画面４００は、ステップＳ９０６で受付けた、ユーザが購入を希望する画像の見本（見本画像４２０）を大きく表示し、ユーザが購入を希望する画像に関する様々な設定や指定、指示等を受付けることができる画面である。
額装イメージ４１０は、額装した写真のイメージ画像である。
【００３３】
見本画像４２０は、ウオーターマーク４３０の付されたユーザが購入（あるいはレンタル）可能な写真の見本である。
【００３４】
見本画像４２０は、ステップＳ９０６で受付けた、ユーザが購入を希望する画像を、大きく表示した画像である。
【００３５】
見本画像４２０は、α、β、γ、δ、εの５つのウオーターマーク４３０が付されている。そして、そのうち主被写体と被っている「β、γ、ε」は選択と選択されたウオーターマーク４３０の移動先の指示の受付が可能に設けられている。（「α、δ」は、選択と選択されたウオーターマーク４３０の移動先の指示の受付ができない。）
なお、ウオーターマーク４３０の選択と選択されたウオーターマーク４３０の移動先の指示の受付※は、ステップＳ９１４にてなされるが、詳細については、図５乃至８で後述する。（※本発明では、選択と選択されたウオーターマーク４３０の移動先の指示の受付を、併せて「ウオーターマーク４３０の移動」、「ウオーターマーク４３０の移動の指示受付け」等とも表現することがある））
図４の見本画像４２０の主被写体は、ラグビーボールを抱えた選手であり、写真の焦点は、この選手に合っている。また、この選手には、複数のウオーターマーク４３０（β、γ、εの３つ）が選手に被るように付されている。そして、そのうち、βのウオーターマーク４３０の一部が、選手の顔を被っている。
【００３６】
額調整オブジェクト４４０は、オーダーする写真や額の詳細設定を、ユーザから受付けるためのオブジェクトである（ステップＳ９１６にて受付ける。）
実施例では、サイズ、フレーム、マットの種類が変更できるよう設けられているが、他にも関連する様々な条件を設定できるよう設けられるものとする。（例えば、額に保護ガラスを入れるか、写真の用紙をどうするか、カラーかモノクロかなど）
購入者情報受付オブジェクト４５０は、購入に際して必要な情報入力を、ユーザから受付けるオブジェクトである。氏名、住所、支払方法等を受付けることができる。（ステップＳ９１７にて受付ける。）
購入ボタン４６０は、ユーザから写真詳細設定画面４００で受付けた内容で、写真の発注を行う指示を受付けるボタンである。（ステップＳ９１８にて受付ける）
図５は、写真詳細設定画面４００における見本画像４２０の画面遷移の一例を示した構成図である。
【００３７】
図５（ａ）は、図４の状態で、ウオーターマーク４３０のうち「β」（以下β）の選択を受付け、位置の指定をしている途中の一例を示した構成図である。つまり、図５（ａ）は、ステップＳ９１４の状態の一例を示した構成図である。
【００３８】
本実施では、ユーザの手３２０によるウオーターマーク４３０のタッチ動作を、ウオーターマーク４３０の選択として、タッチ後のスライドとタッチ解除を、ウオーターマーク４３０の位置の指定として、それぞれ受付けている。なお、位置の指定は、タッチ解除を受付けた位置に基づいて、受付ける。
【００３９】
以上のように、「タッチ→スライド→タッチ解除」の一連の動作は、見かけ上、ウオーターマーク４３０を表示画面上で移動させているように見えるので、説明を簡易にするために、以後「ウオーターマーク４３０の移動」と表現する。
【００４０】
また、マウスで「移動」を受付ける場合、例えば「クリック→ドラッグ→クリック解除」で、同じような効果を得ることができる。
【００４１】
移動可能領域５１０は、ウオーターマーク４３０の中心点が、移動できる移動先の範囲を示すオブジェクトである。
【００４２】
移動可能領域５１０は、見本画像４２０やその元データの主被写体に基づいて、設定される領域で、本実施例では、中心が領域内に含まれるようウオーターマーク４３０を付した見本画像を生成すると、主被写体にウオーターマーク４３０が被るよう設定されている。
【００４３】
このように、ウオーターマーク４３０を「移動」できる領域を設定することで、主被写体にウオーターマーク４３０が被りつつ、邪魔な位置からはウオーターマーク４３０を「移動」させた見本画像を提供する仕組みが、できるようになるのである。
【００４４】
また、移動可能領域５１０は、常時表示される状態は、ユーザが見本画像４２０を詳しく見る際に邪魔になるため、必要なタイミングで表示されるようもうけられていることが望ましい。具体的には、例えば、ウオーターマーク４３０の移動を受付けるの間や、表示部２１０や表示部に表示されている見本画像４２０がタッチされている間、等である。このような表示の切換えの考え方は、後述の被選択表示オブジェクト５２０、移動先表示オブジェクト５３０にも適用できる。
【００４５】
被選択表示オブジェクト５２０は、選択されたウオーターマーク４３０をユーザに示すオブジェクトである。
【００４６】
移動先表示オブジェクト５３０は、選択されたウオーターマーク４３０の移動先をユーザから受付けるオブジェクトで、オブジェクトの中心点が識別可能に表示されている。
【００４７】
図５（ｂ）は、図５（ａ）の移動指示を受付けた後に、表示される写真詳細設定画面４００における見本画像４２０の画面遷移の一例を示した構成図である。つまり、図７（ｂ）は、図７（ａ）から「ステップＳ９１４→ステップＳ９１５→ステップＳ９０８乃至ステップＳ９１２」を経て、表示される写真詳細設定画面４００における見本画像４２０の状態の一例を示した構成図である。
【００４８】
図５（ｂ）は、図５（ａ）ウオーターマーク４３０「β」の移動指示を受付けて、対応するウオーターマーク４３０「β´」を付した見本画像４２０を示している。また、その他のウオーターマーク４３０（α、γ、δ、ε）は、図５（ａ）に対応する位置（同じ座標）に付されている。
【００４９】
図６は、本実施例の移動可能領域５１０の内外におけるウオーターマーク４３０の移動について補足説明をするための構成図である。
【００５０】
図６は、図４の中から、主被写体と、移動可能領域５１０とウオーターマーク４３０とを抜き出して、ウオーターマーク４３０の中心点が分かりやすいよう、移動先表示オブジェクト５３０を重ねた図である。
【００５１】
図４乃至８の見本画像４２０には、移動可能領域５１０の内に中心がある３つのウオーターマーク４３０（イ、ロ、ハ）と、移動可能領域５１０の外に中心がある３つのウオーターマーク４３０（ニ、ホ）とがある。  そして、「イ、ロ、ハ」は、移動可能領域５１０の領域内にウオーターマーク４３０の中心が含まれる任意の位置に移動可能であり、「ホ、へ」は、移動できないように設けてある。
【００５２】
移動可能領域５１０の外に付されているウオーターマーク４３０が、移動できないように設けるのは、移動可能領域５１０外の近傍周囲のウオーターマーク４３０が画面の隅に追いやられないようにするためである。なぜならば、その方がキャプチャリングした画像をトリミングしにくく設けることができるからである。
【００５３】
図７は、写真詳細設定画面４００における見本画像４２０の画面遷移の一例を示した構成図である。
【００５４】
図７（ａ）は、図５（ｂ）の状態で、ウオーターマーク４３０のうち「ε」（以下ε）の選択を受付け、位置の指定をしている途中の一例を示した構成図である。つまり、図７（ａ）は、ステップＳ９１４の状態の一例を示した構成図である。
【００５５】
この状態でユーザの手３２０が表示部２１０から離れ、タッチが解除されると、選択されたウオーターマーク４３０とその移動先の座標に基づいて、図７（ｂ）に示す見本画像４２０が生成され、表示される。
【００５６】
図７（ｂ）は、図７（ａ）の移動指示を受付けた後に、表示される写真詳細設定画面４００における見本画像４２０の画面遷移の一例を示した構成図である。つまり、図７（ｂ）は、図７（ａ）から「ステップＳ９１４→ステップＳ９１５→ステップＳ９０８乃至ステップＳ９１２」を経て、表示される写真詳細設定画面４００における見本画像４２０の状態の一例を示した構成図である。
【００５７】
図７（ｂ）は、図７（ａ）ウオーターマーク４３０「ε」の移動指示を受付けて、対応するウオーターマーク４３０「ε´」を付した見本画像４２０を示している。
【００５８】
また、その他のウオーターマーク４３０（α、β、γ、δ）は、図５（ａ）に対応する位置（同じ座標）に付されている。
【００５９】
つまり、β´に位置に対応するウオーターマーク４３０に対応するウオーターマーク４３０は、図７（ｂ）には付されていない。このように、ウオーターマーク４３０は、移動可能領域に複数付され、そのうちのひとつだけが、移動可能領域内のユーザの任意の位置に移動できる形が望ましい。これは、トリミングしやすい位置に、無制限にウオーターマーク４３０を集約し、課金なしに必要な個所の画像情報をキャプチャリングされてしまうことを防ぐための仕組みである。
【００６０】
また、ウオーターマーク４３０の移動を受付ける回数は、移動可能領域に付されたウオーターマーク４３０の数よりも、少ない回数だけ受付けられる形が望ましい。なぜならば、買い手側が、ウオーターマーク４３０の場所の異なる複数のキャプチャリング画像を組み合わせることで、ウオーターマーク４３０の存在しない合成画像を、課金なしに生成できてしまうからである。移動可能領域に付されたウオーターマーク４３０の数よりも、少ない回数だけ受付けられるよう設けておけば、買い手側が上記の作業を試みても、その合成画像には、主被写体に付されたウオーターマーク４３０のうち、少なくとも一つ以上が残るからである。このような理由から、図７（ｂ）には、移動不可通知７１０が設けられている。
【００６１】
移動不可通知７１０は、ウオーターマーク４３０の移動の受付がもうできない旨を、見本画像４２０を介してユーザに通知するための情報である。オブジェクトであってもよいし、見本画像４２０にウオーターマーク４３０として入れてしまってもよい。
【００６２】
図８は、ウオーターマーク４３０の移動（マークを付する位置の指定）に関する補足のための図である。
【００６３】
見本画像４２０には、座標が割り振られており、本発明のウオーターマーク４３０の移動先の受付（ウオーターマーク４３０を付する位置の指定）や、移動可能領域５１０の設定は、この座標に基づいて行うことができる。
【００６４】
たとえば、図５（ａ）のウオーターマーク４３０の移動指示の受付を例に挙げると、βの座標は、（Ｘ：２０００，Ｙ：５００）である。そして、移動指示による新たな座標は（Ｘ：２５００，Ｙ：７５０）である。図５（ｂ）に生成されるβ´は、この座標に対応する位置に中心点が来るように配置され、新たな見本画像４２０が生成されるのである。
【００６５】
同様に、図７（ａ）のウオーターマーク４３０の移動指示の受付を例に挙げると、εの座標は、（Ｘ：２０００，Ｙ：１５００）である。そして、移動指示による新たな座標は（Ｘ：２６００，Ｙ：１３００）である。図５（ｂ）に生成されるβ´は、この座標に対応する位置に中心点が来るように配置され、新たな見本画像４２０が生成されるのである。
【００６６】
ただし、上記の方法はあくまでも本発明を実現するための具体例の一例に過ぎず、必ずしもＸＹ座標である必要はない。
【００６７】
図９は、本発明のメインフローの一例を示した構成図である。
【００６８】
本時実施例の各図のフローの説明においては、具体的には、ＣＰＵ２０１が外部メモリに記憶された制御プログラムをＲＡＭ２０３にロードして実行することにより行われるものである。しかし、簡易な表現とすべく情報処理端末１２０、画像管理装置１１０を主体として説明する。
【００６９】
また、ユーザからの指示の受付は、特に限定されるものではなく、既存の方法を用いることができるものとする。具体的には、例えば、入力デバイス２０９（ＫＢ／ボタン／タッチパネル等）や表示部２１０を介して受けつける方法が含まれる。
【００７０】
ステップＳ９０１では、情報処理端末１２０は、写真選択画面３００の表示に必要な各種の情報の要求を、画像管理装置１１０に、送信する。
【００７１】
ステップＳ９０２では、画像管理装置１１０は、ステップＳ９０１で情報処理端末１２０から送信された情報の要求を、受信する。
【００７２】
ステップＳ９０３では、画像管理装置１１０は、ステップＳ９０２で写真選択画面３００の表示に必要な各種の情報の要求を、受信したか否かの判定を行う。
【００７３】
そして、画像管理装置１１０は、ステップＳ９０２で要求を、受信したと判定した場合には、ステップＳ９０４に遷移する。
【００７４】
一方、画像管理装置１１０は、ステップＳ９０２で要求を、受信したと判定しなかった場合には、ステップＳ９０２に遷移する。
【００７５】
ステップＳ９０４では、画像管理装置１１０は、写真選択画面３００の表示に必要な各種の情報を、生成・準備し、情報処理端末１２０に、送信する。
【００７６】
「写真選択画面３００の表示に必要な各種の情報」は、情報処理端末１２０の画面の表示の仕方に合わせた様々な画像情報、ファイル情報、プログラム等が含まれる。本実施例では、一例として図１１（ｂ）に示されるようなｈｔｍｌデータとサムネイル画像を取り上げている。
【００７７】
ステップＳ９０５では、情報処理端末１２０は、ステップＳ９０４で画像管理装置１１０から送信された写真選択画面３００の表示に必要な各種の情報を、受信し、表示部２１０に、写真選択画面３００を表示する。
【００７８】
ステップＳ９０６では、情報処理端末１２０は、写真選択画面３００を介して写真詳細設定画面４００で見本画像４２０として表示させたいサムネイル画像３１０の選択を、ユーザから受付ける。
【００７９】
ステップＳ９０７では、情報処理端末１２０は、ステップＳ９０６でサムネイル画像３１０の選択を、ユーザから受付けたか否かの判定を行う。
【００８０】
そして、情報処理端末１２０は、ステップＳ９０６でサムネイル画像３１０の選択を、ユーザから受付けたと判定した場合には、ステップＳ９０８に遷移する。
【００８１】
一方、情報処理端末１２０は、ステップＳ９０６でサムネイル画像３１０の選択を、ユーザから受付けたと判定しなかった場合には、ステップＳ９０６に遷移する。
【００８２】
ステップＳ９０８では、情報処理端末１２０は、ステップＳ９０６で受付けた選択に基づく写真詳細設定画面４００の表示に必要な各種の情報の要求を、画像管理装置１１０に、送信する。
【００８３】
このステップＳ９０８の要求に際しては、いくつかの情報を画像管理装置１１０に、送信することになるが、ステップＳ９０７から遷移してきた場合と、ステップＳ９１５から遷移してきた場合とで送信する情報が異なる。
【００８４】
ステップＳ９０７から遷移してきた場合は、図１１（ｃ）に示されるように、以下の情報を、画像管理装置１１０に、送信する。
【００８５】
（１）ステップＳ９０６で選択を受付けたサムネイル画像３１０の情報
一方、ステップＳ９１５から遷移してきた場合は、図１１（ｃ´）、（ｃ´´）に示されるように、以下の情報を、画像管理装置１１０に、送信する。
【００８６】
（１）ステップＳ９０６で選択を受付けた、サムネイル画像３１０の
（２）ステップＳ９１４で受付けた、選択されたウオーターマーク４３０
（３）ステップＳ９１４で受付けた、新たに生成する見本画像４２０において（２）に対応するウオーターマーク４３０を付する位置（いわゆる「移動先」。本実施例では座標）。
【００８７】
ステップＳ９０９では、画像管理装置１１０は、ステップＳ９０８で情報処理端末１２０から送信された写真詳細設定画面４００の表示に必要な各種の情報の要求を、受信する。
【００８８】
ステップＳ９１０では、画像管理装置１１０は、ステップＳ９０９で写真詳細設定画面４００の表示に必要な各種の情報の要求を、受信したか否かの判定を行う。
【００８９】
そして、画像管理装置１１０は、ステップＳ９０９で、要求を受信したと判定した場合にはステップＳ９１１に遷移する。
【００９０】
一方、画像管理装置１１０は、ステップＳ９０９で、要求を受信したと判定しなかった場合にはステップＳ９０９に遷移する。
【００９１】
ステップＳ９１１では、画像管理装置１１０は、ステップＳ９０９で受付けた要求に基づいて、写真詳細設定画面４００の表示に必要な各種の情報を準備・生成し、情報処理端末１２０に、送信する。
【００９２】
「写真詳細設定画面４００の表示に必要な各種の情報」は、情報処理端末１２０の画面の表示の仕方に合わせた様々な画像情報、ファイル情報、プログラム等が含まれる。具体的には、本実施例では、図１１（ｄ）、（ｄ´）、（ｄ´´）に示されるような以下のような情報が含まれる。
【００９３】
（１）写真詳細設定画面４００のｈｔｍｌファイル
（２）ステップＳ９０６で選択を受付けた、サムネイル画像３１０
（３）（２）やステップＳ９０７で受付けた情報に基づいてウオーターマーク４３０の付された見本画像４２０
（４）（３）の画像サイズ
（５）（３）の主被写体の領域を座標で示した情報
（６）（３）のウオーターマーク４３０の中心点の座標
なお、ステップＳ９１１の詳細については、図１０にて後述する。
【００９４】
ステップＳ９１２では、情報処理端末１２０は、ステップＳ９１１で画像管理装置１１０から送信された写真詳細設定画面４００の表示に必要な各種の情報を、受信し、写真詳細設定画面４００を表示部２１０に表示する
ステップＳ９１３では、情報処理端末１２０は、ステップＳ９１４のウオーターマーク４３０の移動指示の受付けが、所定回数に達しているか否かの判定を行う。
【００９５】
そして、移動指示の受付けが、所定回数に達していると判断した場合には、ステップＳ９１６に遷移する。
【００９６】
一方、移動指示の受付けが、所定回数に達していると判断した場合には、ステップＳ９１３に遷移する。
【００９７】
先にも示した通り、移動指示の受付けが可能な回数は、移動可能領域５１０の領域内に中心点が含まれるウオーターマーク４３０の数よりも少なく設定されていることが望ましい。例えば、本実施例の場合、図１１（ｅ）に示されるように、「移動可能領域内に中心点が含まれるのウオーターマーク４３０の数が３であるのに対し、ウオーターマーク４３０の移動受付けの回数を、２回までに制限している。
【００９８】
ステップＳ９１４では、情報処理端末１２０は、新たにステップＳ９０９で見本画像４２０を新たに生成する際に、移動可能領域５１０にユーザの任意に付したいウオーターマーク４３０と付する位置とを受けつける。このステップの具体的な受付動作の一例については、図５（ａ）や図７（ａ）にて、示した通りである。
【００９９】
また、このステップでウオーターマーク４３０と付する位置とを受けつけた際には、図１１（ｅ）の「ウオーターマークの移動受付け回数」のカウントを１つ増やすよう、設けられている。
【０１００】
ステップＳ９１５では、情報処理端末１２０は、ステップＳ９１４で、新たにステップＳ９０９で見本画像４２０を新たに生成する際に、移動可能領域５１０にユーザの任意に付したいウオーターマーク４３０と付する位置とを受けつけたか否かの判定を行う。
【０１０１】
そして、情報処理端末１２０は、受付けたと判定した場合には、ステップＳ９０８に遷移する。
【０１０２】
一方、情報処理端末１２０は、受付けたと判定しなかった場合には、ステップＳ９１６に遷移する。
【０１０３】
ステップＳ９１６では、情報処理端末１２０は、ユーザから額装した写真を発注するための、写真や額に関する詳細設定を受付ける。本実施例の受付けについては、図４の額調整オブジェクト４４０の説明の通りである。
【０１０４】
ステップＳ９１７では、情報処理端末１２０は、ユーザから額装した写真を発注するための、購入者に関する情報を受付ける。本実施例の具体的な受付けについては、図４の購入者情報受付オブジェクト４５０の説明の通りである。
【０１０５】
ステップＳ９１８では、情報処理端末１２０は、見本画像４２０に対応する額装写真を、ステップＳ９１６やステップＳ９１７で受付けた設定や情報に基づいて、画像管理装置１１０に額装写真を発注する指示を受付ける。本実施例の具体的な受付けについては、図４の購入ボタン４６０の説明の通りである。
【０１０６】
ステップＳ９１９では、情報処理端末１２０は、ステップＳ９１８にて、額装写真を発注する指示を受付けたか否かの判定を行う。
【０１０７】
そして、情報処理端末１２０は、ステップＳ９１８にて、額装写真を発注する指示を受付けたと判定した場合にはステップＳ９２０に遷移する。
【０１０８】
一方、情報処理端末１２０は、ステップＳ９１８にて、額装写真を発注する指示を受付けたと判定しなかった場合にはステップＳ９１３に遷移する。
【０１０９】
ステップＳ９２０では、情報処理端末１２０は、ステップＳ９１８にてユーザから受付けた指示に基づいて、画像管理装置１１０に額装写真の発注を送信する。
【０１１０】
ステップＳ９２１では、画像管理装置１１０は、ステップＳ９２０で情報処理端末１２０から送信された発注内容を受信（受注）し、受注処理を行う。
【０１１１】
ステップＳ９２２では、画像管理装置１１０は、ステップＳ９２１で、受注と受注処理とが実施されたか否かを判定する。
【０１１２】
そして、画像管理装置１１０は、ステップＳ９２１で、受注と受注処理とが実施されたと判定した場合には、フローの処理を終了する。
【０１１３】
一方、画像管理装置１１０は、ステップＳ９２１で、受注と受注処理とが実施されたと判定した場合には、ステップＳ９０９に遷移する。
【０１１４】
図１０は、本発明のサブフローの一例を示した構成図である。
【０１１５】
図１０は、本発明のステップＳ９１１の一例を示した構成図である。
【０１１６】
ステップＳ１００１では、画像管理装置１１０は、元データまたは見本画像４２０の主被写体の存在する領域を識別し、これに基づいて移動可能領域５１０を設定する。
【０１１７】
主被写体の識別方法については、様々な方法が採用できるものとする。例えば、画像解析により、元データや見本画像４２０に映っている人物や、特定の物体を識別し、これを主被写体とする方法が考えられる。あるいは、画像解析により、元データや見本画像４２０の空や壁などの単純なパターンの領域を背景として識別し、そうでない領域を、主被写体とする方法が考えられる。
【０１１８】
また、焦点の合っている領域や位置を、画像解析やＥＸＩＦ情報から識別し、その領域近傍に含まれる被写体を、主被写体として識別することも可能である。あるいは、主被写体が詳らかな写真のパターンを機械学習によって習得したプログラムを用いることで、主被写体を識別する方法も考えられる。
【０１１９】
また、予め何らかの方法で主被写体の存在する領域の識別情報があれば、それを用いることもできる。また、予め何らかの方法で移動可能領域５１０が設定されているのであれば、その情報を用いることも可能である。
【０１２０】
本実施例では、移動可能領域５１０は、領域内に中心点が含まれるようにウオーターマーク４３０が付された際に、ウオーターマーク４３０が主被写体に被るように、設定されている。したがって、主被写体の領域と、ウオーターマーク４３０の形状（大きさ、傾きなど）に応じて、適切に設定されることになる。
【０１２１】
ただし、移動可能領域５１０は、ウオーターマーク４３０が付された際に、ウオーターマーク４３０が主被写体に被るように、設定されていればよいので、必ずしも中心点を基準に設定されずとも良く、利用形態に応じた様々な設定の仕方があってよい。
【０１２２】
ステップＳ１００２では、画像管理装置１１０は、ステップＳ９０９の「写真詳細設定画面４００の表示に必要な各種の情報の要求の受信」が、新規の受付であるかの判定を行う。
【０１２３】
そして、画像管理装置１１０は、新規の受付であると判定した場合には、ステップＳ１００３に遷移する。
【０１２４】
一方、画像管理装置１１０は、新規の受付であると判定しなかった場合には、ステップＳ１００４に遷移する。
【０１２５】
なお、このステップの判定方法は、様々な方法が考えられる。
【０１２６】
例えば、ステップＳ９０９の受付けの際に受付け回数をカウントする方法が考えられる。また、ステップＳ９０９で図１１（ｅ）のデータテーブルを受付けて（あるいはこのテーブルを管理して）、「ウオーターマークの移動受付け回数」が、０回である（新規である）か否（新規ではない）かを判定する方法が考えられる。
【０１２７】
また、ステップＳ９０７を経て、ステップＳ９０８で要求がなされたのであれば、「新規」と判定し、ステップＳ９２２、ステップＳ９２３を経てステップＳ９０８で要求がなされたのであれば、「新規ではない」との判定することも可能である。
【０１２８】
また、ステップＳ９２２を経た場合、ユーザから指定を受付けたウオーターマーク４３０と、新たに見本画像４２０を生成する際に付するその位置に関する情報をステップＳ９０９で受付けることになる。そのため、これらの情報がない場合を「新規」ある場合を「新規でない」と判定することもできる。
【０１２９】
また、ステップＳ９０９の受付けの際に、図９（ｃ）のようなデータテーブルを受付けて、選択されたサムネイルの情報のみを受付けた場合には「新規」と判定する。図９（ｃ´）や（ｃ´´）のようなデータテーブルを受付けて、選択されたウオーターマークやその移動先の情報が含まれている場合には、「新規ではない」と判定する。といった方法も考えられる。
【０１３０】
ステップＳ１００３では、写真詳細設定画面４００の表示に必要な各種の情報の準備と生成を行う。「写真詳細設定画面４００の表示に必要な各種の情報」については、先に述べた通りである。
【０１３１】
また、ステップＳ１００３では、画像管理装置１１０は、ステップＳ１００１で設定された移動可能領域５１０内に、１または複数のウオーターマーク４３０を付した見本画像４２０を生成する。
【０１３２】
なおこのステップにおいて生成される見本画像４２０の移動可能領域５１０に付されるウオーターマーク４３０の数は、複数である方が好ましい。これは、移動可能領域５１０に付されるウオーターマーク４３０の数よりも、移動指示を受付ける回数を少なく設けられる方が好ましいためである。
【０１３３】
さらに、このステップにおいて生成される見本画像４２０の移動可能領域５１０外（主被写体の周囲近傍）にも、ウオーターマーク４３０が付されていることが好ましい。これは、ウオーターマーク４３０を主被写体の周囲近傍に配してある方が、主被写体のトリミングの際にウオーターマーク４３０が入りやすくなる分、トリミング作業をより難しくなるからである。このような目的を達するためにも、見本画像４２０の移動可能領域５１０外に付されたウオーターマーク４３０は、移動の受付ができないように設けられていることが好ましい。
【０１３４】
また、Ｓ１００３で生成する見本画像４２０は、「標準見本」として、予め生成しておいて、図１１（ａ）のデータテーブルで管理しておき、このステップでは見本画像４２０を生成せずに、予め用意しておいた「標準見本」を用いても構わない。
【０１３５】
ステップＳ１００４では、画像管理装置１１０は、所定の回数以上、情報処理端末１２０がウオーターマーク４３０の移動の指示を受付けたか否かの判定を行う。判定の方法は、ステップＳ９１３に準ずるものである。
【０１３６】
そして、画像管理装置１１０は、所定の回数以上、情報処理端末１２０がウオーターマーク４３０の移動の指示を受付けたと判定した場合には、ステップＳ１００５に遷移する。
【０１３７】
そして、画像管理装置１１０は、所定の回数以上、情報処理端末１２０がウオーターマーク４３０の移動の指示を受付けたと判定しなかった場合には、ステップＳ１００６に遷移する。
【０１３８】
ステップＳ１００５では、画像管理装置１１０は、写真詳細設定画面４００の表示に必要な各種の情報の準備と生成を行う。「写真詳細設定画面４００の表示に必要な各種の情報」については、先に述べた通りである。
【０１３９】
特に、ステップＳ１００５では、画像管理装置１１０は、所定の位置にウオーターマーク４３０を付した見本画像４２０を生成する。そして、このステップで言う「所定の位置」とは次の通り決定されるものである。
【０１４０】
（１）ステップＳ９１４で指定を受付けたウオーターマーク４３０は、対応するウオーターマーク４３０をステップＳ９１４で指定を受付けた移動先に対応する位置（指定を受付けた座標）に付す。
（２）ステップＳ９１４で指定受付けていないウオーターマーク４３０に対応するウオーターマーク４３０は、ステップＳ１００３で生成する見本画像４２０に付すウオーターマーク４３０と同様の位置（同様の対応する座標）に付す。
（３）このステップの処理をもってウオーターマーク４３０の移動受付けの回数が、「所定の回数」に達する場合には、更に移動不可通知７１０も付す。
【０１４１】
ステップＳ１００６では、画像管理装置１１０は、Ｓ１００３またはＳ１００５で生成されたウオーターマーク４３０の付された見本画像４２０を含む、写真詳細設定画面４００の表示に必要な各種の情報を、情報処理端末１２０へ送信する。
【０１４２】
図１１は、本発明のデータテーブルの一例を示した構成図である。
【０１４３】
図１１（ａ）は、画像管理装置１１０で管理されるデータテーブルであって、サムネイル画像３１０や見本画像４２０を生成する元データを管理するデータテーブルの一例を示している。
【０１４４】
元データ１１０１は、サムネイル画像３１０や見本画像４２０を生成する元データ（画像データ）である。このデータテーブルでは、元データに対応するサムネイル画像３１０も予め生成し、同じテーブルで管理する形態をとっている。また、本実施例では、少なくとも「Ｍ００１．ｊｐｇ」〜「Ｍ００６．ｊｐｇ」の元データが管理されていて、図３に示される「写真００１」〜「写真００６」の６つのサムネイル画像３１０と、それぞれ対応している。また、図４以降で取り上げている見本画像４２０は、元データ１１０１や標準見本１１０２は、「Ｍ００２．ｊｐｇ」に基づいて生成されている。
【０１４５】
標準見本１１０２は、ステップＳ１００３で生成される見本画像４２０である。サムネイル画像３１０と同じように、図１１（ａ）では、予め生成して管理しているが、フローの中で生成されたものを格納して管理したり、状況に応じて上書きしたりしてもよい。
【０１４６】
画像サイズ１１０３は、見本画像（図１１（ａ）では標準見本）の縦横のピクセル数である。本実施例では、元データの縦横のピクセル数と見本画像４２０とを同じピクセル数に設定している。したがって、「Ｍ００２．ｊｐｇ」の元データや見本画像は、３０００×２０００＝６００万ピクセルの画像である。しかし、データが大きければ、見本画像のピクセル数は減らすことも可能である。その場合、元データと見本画像４２０との位置関係を対応させて、同じテーブルで管理していてもよい。
【０１４７】
そして、本実施例では、図８に示されるように、主被写体領域１１０４や、見本画像４２０に付されるウオーターマーク４３０の各座標（１１０５乃至１１０９）は、このピクセルに基づく座標に従って、表現されている。（ウオーターマーク４３０の移動先の指定も同様である）
主被写体領域１１０４は、元画像の主被写体としてステップＳ１００１で識別される主被写体に基づいて設定される元データや見本画像４２０の領域である。つまり、ユーザの移動指示に基づいて見本画像４２０を生成する際に、ウオーターマーク４３０を付する際の基準となる領域を示した座標データである。主被写体領域１１０４は、フローの中で主被写体を識別して設定してもよいし、予め元データと対応させてデータを持っておいてもよい。
【０１４８】
座標／移動可否１１０５乃至１１１９は、見本画像４２０に付されるのウオーターマーク４３０（α、β、γ、δ、ε）の中心点を示したＸ，Ｙ座標と、ウオーターマーク４３０が主被写体領域１１０４内の移動の指示を受付けられるか否かを示したデータである。
【０１４９】
図１１（ａ）のデータテーブルの元データそのもの以外の情報は、元データのファイル名を含め、画像管理装置１１０と情報処理端末１２０との間で、適宜通信可能に共有できるものとする。
【０１５０】
図１１（ｂ）は、ステップＳ９０４やＳ９０５で送信受信されるデータとデータテーブルの一例を示した構成図である。
【０１５１】
写真選択画像情報１１１０は、情報処理端末１２０の表示部２１０に写真選択画面３００を表示するために必要な各種の情報を管理している。図１１（ｂ）では一例としてｈｔｍｌを取り上げているが、ＪＡＶＡスクリプト（登録商標）、ＦＬＡＳＨ（登録商標）、携帯端末用のアプリ等、本発明を実施するために必要となる様々なデータを扱うことができる
表示サムネイル１１１１は、写真選択画面３００に表示するためのサムネイル画像である。
【０１５２】
図１１（ｃ）、図１１（ｃ´）図１１（ｃ´´）は、ステップＳ９０８やステップＳ９０９で送信・受信されるデータとデータテーブルの一例を示した構成図である。
【０１５３】
被選択サムネイル１１２０は、ステップＳ９０６で選択を受付けた、サムネイル画像３１０を特定するための情報である。
【０１５４】
被選択ウオーターマーク１１２１は、ステップＳ９１４で受付けた、ウオーターマーク４３０を特定するための情報である。
【０１５５】
移動先情報１１２２は、ステップＳ９１４で受付けた、被選択ウオーターマーク１１２１
の移動先（新たに生成する見本画像４２０において被選択ウオーターマーク１１２１に対応するウオーターマーク４３０を付する位置を特定するための情報である。（本実施例では座標）
なお、図１１（ｃ）は、ステップＳ９０７を経てステップＳ９０８で送信されるデータテーブルの一例を示している。
【０１５６】
また、図１１（ｃ´）は、図５（ａ）（ステップＳ９１４）におけるβの選択と移動指示を受けて、ステップＳ９０８で送信されるデータテーブルの一例を示している。つまり、ステップＳ９１１ではこれを受けて、βを（Ｘ：２５００，Ｙ：７５０）に移動させたβ´を付した見本画像４２０が生成されることになるわけである。
【０１５７】
また、図１１（ｃ´）は、図７（ａ）（ステップＳ９１４）におけるεの選択と移動指示を受けて、ステップＳ９０８で送信されるデータテーブルの一例を示している。つまり、ステップＳ９１１ではこれを受けて、εを（Ｘ：２６００，Ｙ：１３００）に移動させたε´を付した見本画像４２０が生成されることになるわけである。
【０１５８】
図１１（ｄ）、図１１（ｄ´）図１１（ｄ´´）は、ステップＳ９１１やステップＳ９１２で送信・受信されるデータとデータテーブルの一例を示した構成図である。
【０１５９】
写真選択画像情報１１１０は、情報処理端末１２０の表示部２１０に写真詳細設定画面４００の表示を表示するために必要な各種の情報を管理している。図１１（ｄ）では一例としてｈｔｍｌを取り上げているが、ＪＡＶＡ（登録商標）、フラッシュ（登録商標）、携帯端末用のアプリ等、本発明を実施するために必要となる様々なデータを扱うことができる。
【０１６０】
図１１（ｄ）は、図１１（ｃ）に基づいて、ステップＳ９１１で生成・送信される、情報処理端末１２０の表示部２１０に写真詳細設定画面４００の表示を表示するために必要な各種の情報（データ・データテーブル）の一例を示した構成図である。
【０１６１】
ケースでは、図１１（ｃ）被選択ウオーターマーク１１２１や、移動先情報１１２２が含まれていない。そのため、標準見本１１０２が見本画像４２０として含まれる形で各種の情報が生成・準備され、送付されることになるわけである。
【０１６２】
図１１（ｄ´）は、図１１（ｃ´）に基づいて、ステップＳ９１１で生成・送信される、情報処理端末１２０の表示部２１０に写真詳細設定画面４００の表示を表示するために必要な各種の情報（データ・データテーブル）の一例を示した構成図である。
【０１６３】
したがって、β´（Ｘ：２５００，Ｙ：７５０）を付した見本画像４２０を含む各種の情報が生成・準備され、送付されることになるわけである。
【０１６４】
図１１（ｄ´´）は、図１１（ｃ´´）に基づいて、ステップＳ９１１で生成・送信される、情報処理端末１２０の表示部２１０に写真詳細設定画面４００の表示を表示するために必要な各種の情報（データ・データテーブル）の一例を示した構成図である。
【０１６５】
したがって、ε´（Ｘ：２６００，Ｙ：１３００）を付した見本画像４２０を含む各種の情報が生成・準備され、送付されることになるわけである。
【０１６６】
図１１（ｅ）は、図１１（ａ）に基づいて、移動可能領域内に中心点の含まれるウオーターマークの数やウオーターマークの移動の受付指示を受付けた回数を管理するデータテーブルの一例を示した構成図である。前者はステップＳ１００１の処理の際に決定されてもよいし、予め元データに基づいて移動可能領域を設定し、それに基づいて数を定めておいてもよい。また後者は、ステップＳ９１４など、ウオーターマークの移動指示を受付けたタイミングでカウントアップするよう設けておくことができる。そして、このテーブルで管理される情報は、必要に応じて、適宜、画像管理装置１１０と情報処理端末１２０との間で共有できるよう設けられているものとする。
【０１６７】
以上が第１の実施例であるが、変形例として、以下に図４に基づく第２の実施例も挙げておく。
【０１６８】
この場合、見本画像４２０は、移動できないウオーターマーク４３０（α、δ）を付したものを用い、移動可能なウオーターマーク４３０（β、γ、ε）は、移動可能なオブジェクトとして、見本画像４２０に重畳表示させるという方法が考えられる。
【０１６９】
この方法であれば、オブジェクトの移動指示を受付けるたびに画像管理装置１１０に新たな写真詳細設定画面４００の要求をせずに済む。そして、情報処理端末１２０に表示された写真詳細設定画面４００上の、オブジェクトの移動だけで、ユーザの望む見本画像４２０を表示させることができる。またこの実施例の場合には、オブジェクトの移動回数を、移動可能なウオーターマーク４３０の数よりも少なく制限を設けることで、第１の実施例の移動指示受付けの回数制限に準ずる効果を得ることが可能になる。
【０１７０】
以上説明したように、本発明は、ユーザが付してほしくない個所を避けて、主被写体にウオーターマークが付された画像を提供することのできる仕組みを提供することができる。
【０１７１】
また、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【０１７２】
この場合、記録媒体から読み出されたプログラム自体が本発明の新規な機能を実現することになり、そのプログラムを記憶した記録媒体は本発明を構成することになる。
【０１７３】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【０１７４】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１７５】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１７６】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【０１７７】
１１０    画像管理装置
１２０    情報処理端末
１３０    通信ネットワーク
２０１      ＣＰＵ
２０２      ＲＯＭ
２０３      ＲＡＭ
２０４      システムバス
２０５      入力コントローラ
２０６      ビデオコントローラ
２０７      メモリコントローラ
２０８      通信Ｉ／Ｆコントローラ
２０９      入力デバイス（ＫＢ／ボタン／タッチパネルなど）
２１０      表示端末（表示部）
２１１      外部メモリ
３００      写真選択画面
３１０      サムネイル画像
３２０      ユーザの手
４００      写真詳細設定画面
４１０      額装イメージ
４２０      見本画像画像
４３０      ウオーターマーク
４４０      額調整オブジェクト
４５０      購入者情報受付オブジェクト
４６０      購入ボタン
５１０      移動可能領域
５２０      被選択表示オブジェクト
５３０      移動先表示オブジェクト
７１０      移動不可通知
【図１】
2019110461.tif 000003
【図２】
2019110461.tif 000004
【図３】
2019110461.tif 000005
【図４】
2019110461.tif 000006
【図５】
2019110461.tif 000007
【図６】
2019110461.tif 000008
【図７】
2019110461.tif 000009
【図８】
2019110461.tif 000010
【図９】
2019110461.tif 000011
【図１０】
2019110461.tif 000012
【図１１】
2019110461.tif 000013